(57)【要約】【課題】聞き逃してしまった報知音を使用者によって繰り返し再生することを可能とすることで、使い勝手を向上させること。【解決手段】被加熱物２を加熱する加熱手段３と、加熱手段３への通電を制御する制御手段６と、制御手段６からの信号により音声を出力する音声合成手段８と、制御手段６から音声合成手段８へ送られた信号を記憶する音声合成ＬＳＩ９と、使用者により音声の再生を選択できる再生方式判定手段７とを備え、使用者により再生方式判定手段７が選択されると、制御手段６は音声合成ＬＳＩ９に記憶された信号を音声合成手段８に送ることにより再度音声を出力することで、報知音声を聞き逃した場合に、使用者によって聞き逃した報知の音声を再生することができる。【選択図】図１
2007078303.tif 000002
【特許請求の範囲】
【請求項１】
被加熱物を加熱する加熱手段と、前記加熱手段への通電の有無を使用者により選択できる入力手段と、前記入力手段からの信号に応じて前記加熱手段への通電を制御する制御手段と、前記制御手段からの信号や前記入力手段からの信号により音声又は報知音の再生方式を判定する再生方式判定手段と、前記再生方式判定手段からの信号に応じて音声又は報知音を出力する音声合成手段を備え、前記再生方式判定手段は、現在報知中の音声又は報知音がある際、又は直ちに音声又は報知音を報知する予定がある際に、次の音声又は報知音を報知する信号を前記入力手段又は前記制御手段より受けた場合は、複数の再生方式から、一つの再生方式を選択する加熱調理器。
【請求項２】
再生方式は、それぞれの音声又は報知音に応じて一意的に定められている請求項１に記載の加熱調理器。
【請求項３】
再生方式は、現在報知中又は報知する予定のある音声又は報知音と、次に報知する音声又は報知音との組み合わせに応じて一意的に定められている請求項１に記載の加熱調理器。
【請求項４】
再生方式のうち少なくとも一つは、現在報知中又は報知する予定のある音声又は報知音を一旦中断して、次に報知する音声又は報知音を報知した後に再度中断した音声又は報知音報知するという再生方式である請求項１〜３のいずれか一項に記載の加熱調理器。
【請求項５】
複数の報知手段を備え、再生方式判定手段により複数の音声又は報知音を同時に報知する方式が選択され場合はそれぞれの報知手段にそれぞれの音声又は報知音を報知させる請求項１〜４のいずれか１項に記載の加熱調理器。
【請求項６】
加熱手段を複数備え、複数の加熱手段は同時に使用することができる請求項１〜５のいずれか１項に記載の加熱調理器。
【発明の詳細な説明】
【技術分野】
【０００１】
本発明は、家庭用や業務用のキッチン等に用いられる加熱調理器に関するものである。
【背景技術】
【０００２】
従来、この種の加熱調理器として誘導加熱調理器を用いて説明する。図６は従来の加熱調理器としての誘導加熱調理器の構成図である。図６において、トッププレート２６の上に鍋２７が載置される。加熱コイル２８はトッププレート２６の下部に配置され、高周波磁界を発生することにより、鍋２７を誘導加熱する。温度検出器２９はトッププレート２６の下部温度を検出し入力制御手段３２に出力し、スイッチ部３０にて使用者は調理の設定を入力し、その結果は入力制御手段３２に出力され、制御手段３１は加熱コイル２８を制御すると共に入力判定手段３８から出力制御手段３５を介した信号入力により鍋２７が誘導加熱に適正であるかどうか、あるいは、鍋２７の有無を判定して入力制御手段３２に鍋２７の状態信号を出力し、入力制御手段３２は温度検出器２９の温度とスイッチ部３０の設定と制御手段３１の鍋の状態とに応じた信号を入力判定手段３３に出力し、入力判定手段３３は入力制御手段３２の出力を判定して出力制御手段３５と音声合成手段３４と表示部４４に出力し、音声合成手段３４は入力判定手段３３の判定信号の出力により音声データを出力し、出力制御手段３５は入力判定手段３３の出力により制御手段３１に判定信号を出力し、制御手段３１は判定信号に基づいて加熱コイル２８を制御し、音声合成ＬＳＩ３６は音声合成手段３４から音声データを入力して音声信号を出力し、発振子３７は音声合成ＬＳＩのクロックを作り、アンプ（ＡＭＰ）部３８は音声合成ＬＳＩ３６から出力される音声信号を増幅し、スピーカ４２はアンプ部３８からの信号を音声に変換して出力し、表示部４４は入力判定手段３３の出力によりＬＥＤを点灯させて表示する構成であった。スイッチ部３０で操作を行った、鍋２７が適正でない、温度検出器２９が危険温度を検知した、などの状態を入力判定手段３３の出力信号に基づいて音声合成手段３４より音声データを出力すると共に、入力判定手段３３の出力信号に基づいて表示部４４のＬＥＤを点灯させるといった方法を取っていた（例えば、特許文献１参照）。
【０００３】
また、加熱調理器における機器の誤使用の指摘や異常時の警告の音声や報知音を再生中に別の音声や報知音が発生した場合は、再生中の音声や報知音を聞き終わる前に中断され、後の音声や報知音が優先され、機器からの情報を使用者が聞き逃してしまう可能性があった。その対策として、音声報知と平行してＬＣＤやＬＥＤといった表示手段によって誤使用の指摘や異常時の警告を行うものもあった（例えば、特許文献２参照）。
【特許文献１】実開平１−１３０２９６号公報
【特許文献２】特開２００１−１７３１９号公報
【発明の開示】
【発明が解決しようとする課題】
【０００４】
しかしながら、前記従来の構成では、同時に複数の報知が重なった場合に機器からの情報を使用者が聞き逃してしまう可能性があるという課題は解決できておらず、表示だけでは分かりにくい操作を音声ガイド等によりサポートしたり、機器に目の届かない位置にいても機器の変化を使用者にお知らせするといった報知の持つ役割を十分に果たすことができていないといった課題を有していた。
【０００５】
本発明は、前記従来の課題を解決するもので、同時に複数の報知を発生させる条件が重なった場合は、即座に報知しないといけない報知か、途中で中断されてはいけない報知か、途中で中断できる報知かどうかを判断して報知タイミングを変えるなどといった再生方式を決定することで、報知の持つ役割を果たすことができ、使い勝手を向上させた加熱調理器を提供することを目的とする。
【課題を解決するための手段】
【０００６】
前記従来の課題を解決するために、本発明の加熱調理器は、制御手段からの信号や入力手段からの信号により音声又は報知音の再生方式を判定する再生方式判定手段を備え、現在報知中の音声又は報知音がある際、又は直ちに音声又は報知音を報知する予定がある際に、次の音声又は報知音を報知する信号を前記入力手段又は前記制御手段より受けた場合に、複数の再生方式から、最適な再生方式を一つ選択できるものである。
【０００７】
これによって、機器の操作説明、自動調理終了報知や、異常時の警告などの聞き逃しによる使用者の混乱を防ぐことができる。
【発明の効果】
【０００８】
本発明の加熱調理器は、機器からの報知を確実に使用者に伝達し、音声報知による利便性及び安全性の効果をさらに向上させ、使い勝手を向上させることができる。
【発明を実施するための最良の形態】
【０００９】
第１の発明は、被加熱物を加熱する加熱手段と、前記加熱手段への通電の有無を使用者により選択できる入力手段と、前記入力手段からの信号に応じて前記加熱手段への通電を制御する制御手段と、前記制御手段からの信号や前記入力手段からの信号により音声又は報知音の再生方式を判定する再生方式判定手段と、前記再生方式判定手段からの信号に応じて音声又は報知音を出力する音声合成手段を備え、前記再生方式判定手段は、現在報知中の音声又は報知音がある際、又は直ちに音声又は報知音を報知する予定がある際に、次の音声又は報知音を報知する信号を前記入力手段又は前記制御手段より受けた場合は、複数の再生方式から、一つの再生方式を選択することにより、自動調理終了報知といった即座に報知する必要のない音声や報知音は現在報知中の音声や報知音が終了してから報知する、異常時の警告などの重要な音声や報知音は現在報知中なのであれば中断せずに、別の音声や報知音を報知中であれば中断させて優先して報知させる等、最適な再生方式が選択されるので音声や報知音による効果を十分に発揮することができるので使用者の操作による混乱を防ぎ、機器の使い勝手を向上させることができる。
【００１０】
第２の発明は、特に、第１の発明の再生方式をそれぞれの音声又は報知音に応じて一意的に定めることにより、音声又は報知音に応じた最適な再生方式が選択されるので音声や報知音による効果を十分に発揮することができるので、使用者の操作による混乱を防ぎ、機器の使い勝手を向上させることができる。
【００１１】
第３の発明は、特に、第１の発明の再生方式を、現在報知中又は報知する予定のある音声又は報知音と、次に報知する音声又は報知音との組み合わせに応じて一意的に定めることにより、現在報知中又は報知する予定のある音声又は報知音と新たに報知する音声又は報知音の組み合わせに応じた最適な再生方式が選択されるので音声や報知音による効果を十分に発揮することができるので、使用者の操作による混乱を防ぎ、機器の使い勝手を向上させることができる。
【００１２】
第４の発明は、特に、第１〜３の発明のいずれか１つの発明にある再生方式のうち、少なくとも一つは、現在報知中又は報知する予定のある音声又は報知音を一旦中断して、次に報知する音声又は報知音を報知した後に再度中断した音声又は報知音報知するという再生方式とすることにより、異常時の警告といったように必ず使用者に伝える必要のる音声や報知音を報知中に何らかの操作の割込み報知音により中断した場合などは、再度中断した音声又は報知音を報知することで機器の安全性や使い勝手を向上させることができる。
【００１３】
第５の発明は、特に、第１〜４の発明のいずれか１つの発明に、複数の報知手段を備え、再生方式判定手段により複数の音声又は報知音を同時に報知する方式が選択され場合はそれぞれの報知手段にそれぞれの音声又は報知音を報知させることにより、同時に発生しているにもかかわらず報知手段が異なっているので、それぞれの音声又は報知音が聞き取りやすくなり、機器の使い勝手を向上させることができる。
【００１４】
第６の発明は、特に第１〜５の発明のいずれか１つの発明の加熱手段を複数備え、複数の加熱手段は同時に使用することができることにより、複数の音声や報知音が同時発生する可能性が高くなるが、再生方式判定手段による効果的な再生方式の選択が有効となり、多口加熱調理器の使い勝手を更に向上させることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における加熱調理器の全体構成図を示すものである。
【００１７】
図１において、トッププレート１の上に鍋（被加熱物）２が載置される。加熱コイル（加熱手段）３はトッププレート１の下部に配置され、高周波磁界を発生することにより、鍋２を誘導加熱する。温度検出器４はトッププレート１の下部温度を検出する。本実施の形態では２口の誘導加熱調理器を例に上げているので、鍋２、加熱コイル３、温度検出器４はそれぞれａ、ｂの二つが存在する。スイッチ部（入力手段）５により使用者は設定を入力しその結果は制御手段６に入力され、制御手段６は加熱コイル３の出力を制御し、再生方式判定手段７はスイッチ部５や制御手段６からの命令に応じた音声データの再生方式を判定し、音声合成手段８は再生方式判定手段７からの命令に応じた再生方式で音声データを出力し、音声合成ＬＳＩ９は音声合成手段８から出力された音声データを入力して音声信号を出力し、発振子１０は音声合成ＬＳＩ９のクロックを作り、アンプ（ＡＭＰ）部１１は音声信号を増幅し、スピーカからなる報知手段１２はアンプ部１１からの信号を変換し音声を出力する構成である。そしてこの場合における制御手段６、再生方式判定手段７、音声合成手段８はマイクロコンピュータ１３で構成される。
【００１８】
図２は本実施の形態における加熱調理器で発生する音声又は報知音の発生条件及び内容を示す表であり、それぞれに１４から１８の番号で指示する。
【００１９】
図３は本実施の形態における加熱調理器の再生方式判定手段における判定方法を示すプログラムチャートを示すものである。
【００２０】
以上のように構成された加熱調理器について、以下その動作、作用を説明する。
【００２１】
まず、図示されていない電源スイッチを投入した後にスイッチ部５において鍋２−ａを加熱するスタートボタンを押す。スイッチ部５の入力を受け付けたので図２に示す１４の発生条件が成立することになる。その際に図３に示す再生方式判定手段７のプログラムチャートがスタートする。この場合現在報知中の音声又は報知音はないので２２を判定し、報知音（ピ）が報知される。同時にスイッチ部５からのスタート信号により制御手段は加熱コイル３−ａにより鍋２−ａは加熱される。
【００２２】
時間が経ち、鍋２−ａ中の調理物の水分がなくなり、鍋２−ａの温度が高温になってしまった。温度検出器４−ａは制御手段６に高温であることの信号を送る。温度検出器４−ａを検知したので図２に示す１７の発生条件が成立することになる。その際に図３に示す再生方式判定手段７のプログラムチャートがスタートする。この場合現在報知中の音声又は報知音はないので２２を判定し、音声（ａの鍋が空焼きです）が報知される。同時に制御手段６は加熱コイル３−ａにより鍋２−ａの加熱を中断する。音声（ａの鍋が空焼きです）を報知中にスイッチ部５において鍋２−ｂを加熱するスタートボタンを押す。スイッチ部５の入力を受け付けたので図２に示す１４の発生条件が成立することになる。その際に図３に示す再生方式判定手段７のプログラムチャートがスタートする。この場合現在報知中の音声又は報知音は１７で、成立した発生条件は１４なので１９を判定することになる。音声（ａの鍋が空焼きです）を一旦途中で中断し、報知音（ピ）が報知される。その後再度音声（ａの鍋が空焼きです）を報知する。
【００２３】
また、音声（ａの鍋が空焼きです）を報知中に加熱していた鍋２−ｂに設定されていた加熱時間が経過し、加熱コイル３−ｂによる鍋２−ｂの加熱を終了することになったとする。図２に示す１５の発生条件が成立することになる。その際には図３に示す再生方式判定手段７のプログラムチャートがスタートする。この場合現在報知中の音声又は報知音は１７で、成立した発生条件は１６なので２１を判定することになる。音声（ａの鍋が空焼きです）を最後まで報知した後に音声（ｂの加熱が終わりました）を報知する。
【００２４】
続いて音声（ｂの加熱が終わりました）を報知中にスイッチ部５において鍋２−ａの加熱を終了する終了ボタンを押す。スイッチ部５の入力を受け付けたので図２に示す１４の発生条件が成立することになる。その際に図３に示す再生方式判定手段７のプログラムチャートがスタートする。この場合現在報知中の音声又は報知音は１６で、成立した発生条件は１４なので２０を判定することになる。音声（ｂの加熱が終わりました）を中断し、報知音（ピ）が報知される。
【００２５】
以上のように、本実施の形態においては同時に音声又は報知音が発生する条件が揃った場合にも音声（ａの鍋が空焼きです）といった使用者が聞き逃してはいけない危険温度音声は初めから最後まで必ず全部報知される再生方式が判定され、報知音（ピ）というスイッチ部の受け付け音といった発生した時点で必ず報知させなくては違和感のあるものは必ず発生条件が成立した時点で必ず報知される再生方式が判定されることにより、報知される音声や報知音は違和感なく効果的に報知されることとなり機器の使い勝手が向上する。
【００２６】
また、本実施の形態の多口である加熱コイル３にかえてラジェントヒータやガス熱源などの加熱部を用いた場合や熱源が一口であっても同様の効果がある。
【００２７】
また、本実施の形態においては、温度検出器４を備えて危険温度を検知すると危険温度音声を報知しているが、誘導加熱に不適切な鍋（例えば、ガラス製の鍋、径の小さい鍋）２を電気的特性（商用電源からの入力電流、加熱コイル３電流、制御手段６のスイッチング素子に印加される電圧等）の差異により検知する鍋検知部を備えて不適切鍋使用音声処理を行う場合、トッププレート１の汚れをトッププレート１上方からの赤外線の入力量の差異で検知する汚れ検知部を備えて汚れ検知音声処理行う場合等様々な音声においても同様の効果を得ることができる。
【００２８】
また、本実施の形態においては現在報知中の音声又は報知音と新たに発生した音声又は報知音の発生条件との組み合わせで再生方式を判定しているが、現在報知中の音声又は報知音に対して一意的に定めた再生方式や、新たに発生した音声又は報知音の発生条件に応じて一意的に定めた再生方式であっても同様の効果を得ることができる。
【００２９】
また、本実施の形態においては報知手段をスピーカで構成したがブザーであっても同様の効果がある。
【００３０】
なお、本実施の形態においては再生方式判定手段により同時に音声又は報知音を再生する方式といった方式は判定手段に含むこともできる。その際は複数の報知手段によって行っても良いし、音声ＬＳＩの内部で複数の音声又は報知音を合成させて一つの報知手段で同時に発生させても良い。
【００３１】
（実施の形態２）
図４は、本発明の第２の実施の形態の加熱調理器の全体構成図である。第二のアンプ（ＡＭＰ）部２３は第二の音声信号を増幅し、スピーカからなる第二の報知手段２４は第二のアンプ部２３からの信号を変換し音声を出力する構成である。
【００３２】
第１の実施の形態との違いは、第二のアンプ（ＡＭＰ）部２３及び第二の報知手段２４を設けた点である。
【００３３】
図５は本実施の形態における加熱調理器の再生方式判定手段における判定方法を示すプログラムチャートである。
【００３４】
以下、上記構成による加熱調理器の動作を図４に示す構成、図２に示す報知される音声又は報知音の表、及び図５に示す再生方式判定手段７のプログラムチャートを用いて説明する。
【００３５】
まず、図示されていない電源スイッチを投入した後にスイッチ部５において鍋２−ａを加熱するスタートボタンを押す。スイッチ部５の入力を受け付けたので図２に示す１４の発生条件が成立することになる。その際に図５に示す再生方式判定手段７のプログラムチャートがスタートする。この場合現在報知中の音声又は報知音はないので２２を判定し、報知音（ピ）が報知される。この報知は第二の報知手段２３により行われる。同時にスイッチ部５からのスタート信号により制御手段は加熱コイル３−ａにより鍋２−ａは加熱される。
【００３６】
鍋２−ａに設定されていた加熱時間が経過し、加熱コイル３−ａによる鍋２−ａの加熱を終了することになったとする。図２に示す１５の発生条件が成立することになる。その際には図５に示す再生方式判定手段７のプログラムチャートがスタートし、現在報知中の音声又は報知音はないので２２を判定し、音声（ａの加熱が終わりました）が報知される。この報知は報知手段１２により行われる。音声（ａの加熱が終わりました）を報知中にスイッチ部５において鍋２−ｂの加熱を終了する終了ボタンを押す。スイッチ部５の入力を受け付けたので図２に示す１４の発生条件が成立することになる。その際に図５に示す再生方式判定手段７のプログラムチャートがスタートする。この場合現在報知中の音声又は報知音は１５で、成立した発生条件は１４なので２５を判定することになる。音声（ｂの加熱が終わりました）を報知手段１２で報知しながら同時に第二の報知手段２３で報知音（ピ）を報知する。
【００３７】
以上のように、本実施の形態においては複数の計時手段２７により計時された所定時間が経過すると、音声合成ＬＳＩ９に記憶された制御手段６から音声合成手段８へ送られた信号を消去することにより、使用者が誤って再生操作を行った場合に、所定時間以前の音声が使用者に報知されて使用者が、例えば、報知内容と現状とが異なることにより、混乱することがあるのを防ぎ、また、音声合成ＬＳＩ９に音声が記憶されていることを表示する表示手段２８を備えることで、機器から使用者が離れていた間の音声報知の有無を確認することができ、機器の使い勝手が向上する。
【００３８】
また、本実施の形態においては報知手段をスピーカで構成したがブザーであっても同様の効果がある。
【産業上の利用可能性】
【００３９】
以上のように、本発明にかかる加熱調理器は複数の音声や報知音が重なった場合に最適な再生方式を選択し、報知することができるので、加熱調理器に限らず音声を使用する各種機器等の報知の用途にも適応できる。
【図面の簡単な説明】
【００４０】
【図１】本発明の第１の実施の形態における加熱調理器の全体構成図
【図２】本発明の第１の実施の形態における加熱調理器発生する音声又は報知音の発生条件及び内容を示す図
【図３】本発明の第１の実施の形態における加熱調理器の再生方式判定手段における判定方法を示すプログラムチャート
【図４】本発明の第２の実施の形態における加熱調理器の全体構成図
【図５】本発明の第２の実施の形態における加熱調理器の再生方式判定手段における判定方法を示すプログラムチャート
【図６】本発明の従来例における加熱調理器の全体構成図
【符号の説明】
【００４１】
２  鍋（被加熱物）
３  加熱コイル（加熱手段）
５  スイッチ部（入力手段）
６  制御手段
７  再生方式判定手段
８  音声合成手段
【図１】
2007078303.tif 000003
【図２】
2007078303.tif 000004
【図３】
2007078303.tif 000005
【図４】
2007078303.tif 000006
【図５】
2007078303.tif 000007
【図６】
2007078303.tif 000008